(57)【要約】【課題】新たなモールドを作製することなく、ピッチ配列を変更した空気入りタイヤの作製に対応することができ、モールド費用の低減とタイヤ開発期間の短縮を図ることが可能なタイヤ加硫用モールドを提供する。【解決手段】トレッド面４にピッチ長La,Lb,Lc,Ld,Leの異なる複数のパターン要素Ａ，Ｂ，Ｃ，Ｄ，Ｅからなるトレッドパターン５を成形する環状の側型３が、周方向に沿って分割した各パターン要素Ａ，Ｂ，Ｃ，Ｄ，Ｅを成形する複数のピース６Ａ，６Ｂ，６Ｃ，６Ｄ，６Ｅから構成されている。【選択図】図３
2006103126.tif 000002
【特許請求の範囲】
【請求項１】
トレッド面にピッチ長の異なる複数のパターン要素からなるトレッドパターンを成形する環状の側型を周方向に沿って分割した各パターン要素を成形する複数のピースから構成したタイヤ加硫用モールド。
【請求項２】
前記トレッドパターンはトレッド面に設けたタイヤ幅方向に延在する横溝内をピッチの境界とする前記パターン要素を有し、前記セクターを前記ピッチの境界に対応する位置で区分した複数のピースから構成した請求項１に記載のタイヤ加硫用モールド。
【請求項３】
前記側型を周方向に沿って分割した複数のセクターから構成し、各セクターを周方向に沿って分割した前記複数のピースから構成した請求項１または２に記載のタイヤ加硫用モールド。                                                                        
【発明の詳細な説明】
【技術分野】
【０００１】
本発明は、タイヤ加硫用モールドに関し、更に詳しくは、新たなモールドを作製することなく、ピッチ配列を変更した空気入りタイヤの作製に対応することができるセクショナル型のタイヤ加硫用モールドに関する。
【背景技術】
【０００２】
一般に、セクショナ型のタイヤ加硫用モールドは、上下の金型間にタイヤのトレッドパターンを成形する環状の側型を備えており、この側型を周方向に沿って分割した複数のセクターから構成している。各セクターのトレッド成形面にはトレッドパターンを成形するパターン要素成形部が設けられている（例えば、特許文献１参照）。
【０００３】
ところで、トレッドパターンに起因する騒音（パターンノイズ）を抑制するため、トレッド面にピッチ長の異なる複数のパターン要素からなるトレッドパターンを設けた空気入りタイヤが周知である。このような空気入りタイヤは、各セクターのトレッド成形面にピッチ長の異なる複数のパターン要素を成形するパターン要素成形部を備えたタイヤ加硫用モールドにより加硫成形されるが、周上で略均一な肉厚を有するグリーンタイヤのトレッド部の表面にピッチ長さの異なるパターン要素を成形するため、成形後のトレッド部の肉厚にバラツキが発生することが避けられず、それがユニフォミティを悪化させる一因になっている。
【０００４】
そこで、上記空気入りタイヤを設計する際に、高いパターンノイズ低減効果を得る一方、ユニフォミティへの悪影響を最小限に抑えるように予測して設計がなされるが、必ずしも予測した通りの効果を奏するタイヤが得られるとは限らず、また装着する車両との相性により予測していた効果が得られない場合が生じる。
【０００５】
それを解決するため、パターン要素の並べ替えを行い、ピッチ配列を変更した空気入りタイヤを試作しようとすると、それに応じた新たなモールド（側型）を作り直す必要があり、その結果、モールド費用及びタイヤ開発期間が増加するという問題があった。
【特許文献１】特開平９−３０９１１４号公報
【発明の開示】
【発明が解決しようとする課題】
【０００６】
本発明は、新たなモールドを作製することなく、ピッチ配列を変更した空気入りタイヤの作製に対応することができ、モールド費用の減とタイヤ開発期間の短縮を図ることが可能なタイヤ加硫用モールドを提供することにある。
【課題を解決するための手段】
【０００７】
上記目的を達成する本発明のタイヤ加硫用モールドは、トレッド面にピッチ長の異なる複数のパターン要素からなるトレッドパターンを成形する環状の側型を周方向に沿って分割した各パターン要素を成形する複数のピースから構成したことを特徴とする。  
【発明の効果】
【０００８】
上述のようにトレッド面を成形する側型を各パターン要素を成形する複数のピースから構成したので、パターン要素の並べ替えを行い、ピッチ配列を変更した空気入りタイヤの作製が必要になる場合には、ピースを並べ替えるだけで容易に対応することができるため、新たなモールドを作製することなく、ピッチ配列を変更した空気入りタイヤを作製することが可能になる。そのため、モールド費用を低減すると共にタイヤ開発期間を短縮することができる。
【発明を実施するための最良の形態】
【０００９】
以下、本発明の実施の形態について添付の図面を参照しながら詳細に説明する。
【００１０】
図１は、本発明のタイヤ加硫用モールドの一実施形態を示し、１，２は空気入りタイヤのサイド部を成形する上型と下型、３は上型１と下型２との間に配置された環状の側型である。側型３は、図２に示すように、空気入りタイヤのトレッド面４に異なるピッチ長La,Lb,Lc,Ld,Leを有する複数のパターン要素Ａ，Ｂ，Ｃ，Ｄ，Ｅからなるトレッドパターン５を成形するものである。
【００１１】
トレッドパターン５は、図示する例では、タイヤ周方向Ｔに延在する主溝５Ａと周方向細溝５Ｂ、タイヤ幅方向に延在する横溝５Ｃ、ブロック５Ｄ、リブ５Ｅ、サイプ５Ｆからなり、各パターン要素Ａ，Ｂ，Ｃ，Ｄ，Ｅはそれらの部分から構成されている。ピッチの境界はブロック５Ｄを横断する位置である。
【００１２】
上記側型３は、周方向に沿って複数に分割したセクター６から構成され、各セクター６は、図３に示すように、トレッド成形面７に複数のパターン要素Ａ，Ｂ，Ｃ，Ｄ，Ｅを成形するパターン要素成形部８を備えている。パターン要素成形部８は、主溝５Ａを成形する主溝成形刃９、周方向細溝５Ｂを成形する周方向細溝成形刃１０、横溝５Ｃを成形する横溝成形刃１１、及びサイプ５Ｆを成形するサイプ成形刃１２をトレッド成形面７に突設した構成になっている。
【００１３】
各セクター６は、更に周方向に沿って分割した、各パターン要素Ａ，Ｂ，Ｃ，Ｄ，Ｅを成形するパターン要素成形部分８Ａ，８Ｂ，８Ｃ，８Ｄ，８Ｅを備えた複数のピース６Ａ，６Ｂ，６Ｃ，６Ｄ，６Ｅから構成されている。
【００１４】
このように本発明では、側型３を各パターン要素Ａ，Ｂ，Ｃ，Ｄ，Ｅを成形する複数のピース６Ａ，６Ｂ，６Ｃ，６Ｄ，６Ｅから構成することにより、パターン要素Ａ，Ｂ，Ｃ，Ｄ，Ｅの並べ替えを行い、ピッチ配列を変更した空気入りタイヤの作製が必要になった場合には、図４にその一例を示すように、ピース６Ａ，６Ｂ，６Ｃ，６Ｄ，６Ｅを並べ替えるだけでよいため、新たなモールドを作製することなく、ピッチ配列を変更した空気入りタイヤの作製に対応することができる。従って、モールド費用の低減とタイヤ開発期間の短縮が可能になる。
【００１５】
また、セクター６を複数のピース６Ａ，６Ｂ，６Ｃ，６Ｄ，６Ｅから構成することで、セクター６毎に取り付ける既存の加硫機に容易に取り付けることができる。
【００１６】
図５は、本発明のタイヤ加硫用モールドの他の実施形態を示す。この実施形態では、トレッドパターン５が、図６に示すように、トレッド面４に設けたタイヤ幅方向に沿って延在する横溝５Ｃ内をピッチの境界とする、ピッチ長La,Lb の異なるパターン要素Ａ，Ｂ（パターン要素Ａのピッチ長Laの方が長い）を有するものである。このような空気入りタイヤを成形する各セクター６は、各パターン要素Ａ，Ｂを区分する横溝５Ｃ内のピッチの境界に対応する横溝成形刃１１の位置で区分した複数のピース６Ａ，６Ｂから構成してある。なお、理解を容易にするため、ピッチの異なる２種類のパターン要素Ａ，Ｂを例示したが、パターン要素の種類は２種類以上であってもよいことは言うまでもない。
【００１７】
このように横溝５Ｃ内のピッチの境界に対応する位置で分割したピース６Ａ，６Ｂは、パターン要素成形部分８Ａ，８Ｂの横溝成形刃部分１１ａ、１１ｂの幅がそれぞれ異なるため、隣合うピースを、図７（ａ）に示すピース６Ａ，６Ａ（横溝成形刃１１の幅が最も広くなり、従って横溝５Ｃが最も広くなる）、図７（ｂ）に示すピース６Ａ，６Ｂ（横溝成形刃１１の幅が次に広くなり、従って横溝５Ｃが次に広くなる）、図７（ｃ）に示すピース６Ｂ，６Ｂ（横溝成形刃１１の幅が最も狭くなり、従って横溝５Ｃが最も狭くなる）の３種類のいずれかに並べ替えることができ、ピッチ種類より多い横溝幅種類のトレッドパターンを作ることができるので、上述した効果に加えて、パターンノイズの低減とユニフォミティへの悪影響を抑えた空気入りタイヤを開発する上で有利となる。
【図面の簡単な説明】
【００１８】
【図１】本発明のタイヤ加硫用モールドの一実施形態を示す半断面図である。
【図２】トレッドパターンの一例を示すトレッド面の左側半分の要部展開図である。
【図３】図２のトレッドパターンを成形するためのセクターのトレッド成形面の下側半分の展開図である。
【図４】ピースを並べ替えたセクターの一例を示す説明図である。
【図５】本発明のタイヤ加硫用モールドの他の実施形態において、図６のトレッドパターンを成形するセクターのトレッド成形面の下側半分の展開図である。
【図６】トレッドパターンの他の例を示すトレッド面の左側半分の要部展開図である。
【図７】（ａ），（ｂ），（ｃ）は、それぞれピースの並べ替え状態を示す断面説明図である。
【符号の説明】
【００１９】
１  上型
２  下型
３  側型
４  トレッド面
５  トレッドパターン
５Ｃ  横溝
６  セクター
６Ａ，６Ｂ，６Ｃ，６Ｄ，６Ｅ  ピース
７  トレッド成形面
８  パターン要素成形部
８Ａ，８Ｂ，８Ｃ，８Ｄ，８Ｅ  パターン要素成形部分
１１  横溝成形刃
Ａ，Ｂ，Ｃ，Ｄ，Ｅ  パターン要素
La,Lb,Lc,Ld,Le  ピッチ長
Ｔ  タイヤ周方向  
【図１】
2006103126.tif 000003
【図２】
2006103126.tif 000004
【図３】
2006103126.tif 000005
【図４】
2006103126.tif 000006
【図５】
2006103126.tif 000007
【図６】
2006103126.tif 000008
【図７】
2006103126.tif 000009